(57)【要約】【課題】基地局およびユーザ機器(UE)を含むネットワーク中で、ミッションクリティカル(MiCri)データを通信するためのシステムおよび方法が提供される。【解決手段】方法は、MiCriデータを要求する要求メッセージを受信するステップと、MiCriデータを、第1の搬送波成分の送信時間間隔(TTI)の間、または第2の搬送波成分の送信時間間隔(TTI)の間、送信するステップとを含むことができる。様々な態様では、第1の搬送波成分のTTIが第2の搬送波成分のTTIに対して時間的にずらされる場合がある。別の態様では、MiCriデータの通信で使用するため、UEが、公称TTIについての干渉パターン情報を事前報告することができる。【選択図】図1
2019047513.tif 000002
【特許請求の範囲】
【請求項１】
ワイヤレス通信のための方法であって、
第1のデバイスから基準信号を第2のデバイスに、搬送波成分の第1の送信時間間隔(TTI)の間、送信するステップと、
前記第1のデバイスにおいて、前記第1のTTIの継続時間の間、前記第2のデバイスが経験した干渉パターンの指示を受信するステップであって、前記指示が前記基準信号に基づく、ステップと、
前記第1のデバイスからミッションクリティカル(MiCri)データを前記第2のデバイスに、前記搬送波成分の前記第1のTTIの間、前記指示に基づいてハイブリッド自動反復要求(HARQ)ブロックを使用して送信するステップと
を含む、方法。
【請求項２】
前記基準信号を送信する前記ステップが、前記第1のTTIの開始時点で、前記基準信号を送信するステップを含む、請求項1に記載の方法。
【請求項３】
前記基準信号を送信する前記ステップが、ヌルトーンを送信するステップを含む、請求項1に記載の方法。
【請求項４】
前記ヌルトーンを送信する前記ステップが、前記第1のTTIの開始時点で、前記ヌルトーンを送信するステップを含む、請求項3に記載の方法。
【請求項５】
前記基準信号を送信する前記ステップが、パイロットまたはテスト信号を送信するステップを含む、請求項1に記載の方法。
【請求項６】
前記MiCriデータを送信する前記ステップが、前記MiCriデータの送信に関連付けられたターゲット誤り率が満足されるように、前記MiCriデータを送信するステップを含む、請求項1に記載の方法。
【請求項７】
UEへの前記MiCriデータの前記送信を示すメッセージを送信するステップをさらに含み、
前記MiCriデータを送信する前記ステップが、前記メッセージとともに、前記MiCriデータを送信するステップを含む、請求項1に記載の方法。
【請求項８】
前記HARQブロックを送信する前記ステップが、前記搬送波成分の利用可能な帯域幅を完全に利用することによって、単一のHARQブロックを送信するステップを含む、請求項1に記載の方法。
【請求項９】
前記HARQブロックを送信する前記ステップが、前記搬送波成分の利用可能な帯域幅の一部を利用することによって、単一のHARQブロックを送信するステップを含む、請求項1に記載の方法。
【請求項１０】
ワイヤレス通信のための方法であって、
第2のデバイスにおいて、第1のデバイスから、搬送波成分の第1の送信時間間隔(TTI)の間、基準信号を受信するステップと、
前記第2のデバイスから、前記基準信号に基づいて、前記第2のデバイスが経験した干渉パターンの指示を送信するステップと、
前記第2のデバイスにおいて、前記第1のデバイスからミッションクリティカル(MiCri)データを、前記搬送波成分の前記第1のTTIの間、前記指示に基づいてハイブリッド自動反復要求(HARQ)ブロックを使用して受信するステップと
を含む、方法。
【請求項１１】
前記基準信号を受信する前記ステップが、前記第1のTTIの開始時点で、前記基準信号を受信するステップを含む、請求項10に記載の方法。
【請求項１２】
前記基準信号を受信する前記ステップが、前記基準信号として、ヌルトーンを受信するステップを含む、請求項10に記載の方法。
【請求項１３】
前記ヌルトーンを受信する前記ステップが、前記第1のTTIの開始時点で、前記ヌルトーンを受信するステップを含む、請求項12に記載の方法。
【請求項１４】
前記基準信号を受信する前記ステップが、前記基準信号として、パイロットまたはテスト信号を受信するステップを含む、請求項10に記載の方法。
【請求項１５】
前記MiCriデータを受信する前記ステップが、前記MiCriデータの受信に関連付けられたターゲット誤り率が満足されるように、前記MiCriデータを受信するステップを含む、請求項10に記載の方法。
【請求項１６】
第1のデバイスからの前記MiCriデータの前記送信を示すメッセージを受信するステップをさらに含み、
前記MiCriデータを受信する前記ステップが、前記メッセージとともに、前記MiCriデータを受信するステップを含む、請求項10に記載の方法。
【請求項１７】
前記HARQブロックを受信する前記ステップが、前記搬送波成分の利用可能な帯域幅を完全に利用する単一のHARQブロックを受信するステップを含む、請求項10に記載の方法。
【請求項１８】
前記HARQブロックを受信する前記ステップが、前記搬送波成分の利用可能な帯域幅の一部を利用する単一のHARQブロックを受信するステップを含む、請求項10に記載の方法。
【請求項１９】
第1のデバイスに搬送波成分の第1の送信時間間隔(TTI)の間、基準信号を送信するように構成された送信器と、
前記第1のTTIの継続時間の間、前記第1のデバイスが経験した干渉パターンの指示を受信するように構成された受信器であって、前記指示が前記基準信号に基づく、受信器と
を含み、
前記送信器が、前記第1のデバイスにミッションクリティカル(MiCri)データを、前記搬送波成分の前記第1のTTIの間、前記指示に基づいてハイブリッド自動反復要求(HARQ)ブロックを使用して送信するように構成される、基地局。
【請求項２０】
前記送信器が、前記第1のTTIの開始時点で、前記基準信号を送信するように構成される、請求項19に記載の基地局。
【請求項２１】
前記送信器が、前記基準信号として、ヌルトーンを送信するように構成される、請求項19に記載の基地局。
【請求項２２】
前記送信器が、前記第1のTTIの開始時点で、前記ヌルトーンを送信するように構成される、請求項21に記載の基地局。
【請求項２３】
前記送信器が、前記基準信号として、パイロットまたはテスト信号を送信するように構成される、請求項19に記載の基地局。
【請求項２４】
前記送信器が、前記第1のデバイスへの前記MiCriデータの前記送信を示すメッセージを送信するように構成され、
前記MiCriデータが、前記メッセージとともに送信される、請求項19に記載の基地局。
【請求項２５】
ユーザ機器(UE)であって、
第1のデバイスから、搬送波成分の第1の送信時間間隔(TTI)の間、基準信号を受信するように構成された受信器と、
前記基準信号に基づいて、前記UEが経験した干渉パターンの指示を送信するように構成される送信器と
を備え、
前記受信器が、前記第1のデバイスからミッションクリティカル(MiCri)データを、前記搬送波成分の前記第1のTTIの間、前記指示に基づいてハイブリッド自動反復要求(HARQ)ブロックを使用して受信するように構成される、ユーザ機器(UE)。
【請求項２６】
前記受信器が、前記第1のTTIの開始時点で、前記基準信号を受信するように構成される、請求項25に記載のユーザ機器(UE)。
【請求項２７】
前記受信器が、前記基準信号として、ヌルトーンを受信するように構成される、請求項25に記載のユーザ機器(UE)。
【請求項２８】
前記受信器が、前記第1のTTIの開始時点で、前記ヌルトーンを受信するように構成される、請求項27に記載のユーザ機器(UE)。
【請求項２９】
前記受信器が、前記基準信号として、パイロットまたはテスト信号を受信するように構成される、請求項25に記載のユーザ機器(UE)。
【請求項３０】
前記受信器が、前記第1のデバイスからの前記MiCriデータの前記送信を示すメッセージを受信するように構成され、
前記MiCriデータが、前記メッセージとともに受信される、請求項25に記載のユーザ機器(UE)。
【発明の詳細な説明】
【技術分野】
【０００１】
関連出願の相互参照
本出願は、2014年11月4日に出願した米国仮特許出願第62/075,099号の利益を主張する、2015年8月26日に出願した米国非仮特許出願第14/836,740号の利益を主張するものであり、両出願は、参照によりその全体が本明細書に組み込まれている。
【０００２】
本開示は、通信ネットワークに関し、より詳細には、高信頼性および低レイテンシで、通信ネットワークの要素間でミッションクリティカル(MiCri: mission-critical)データを通信することに関する。
【背景技術】
【０００３】
通信ネットワークは、基地局およびワイヤレス通信デバイスなどの要素を含む。基地局およびユーザ機器の両方は、基地局およびユーザ機器が、通信ネットワーク中でデータをワイヤレスで通信すること、すなわち送信し受信することを可能にするトランシーバを含む。基地局およびユーザ機器が、ミッションクリティカル(MiCri)データをワイヤレスで通信するとき、そのような通信は、高度に信頼できることが必要であり、そのような通信に関連する誤り率は非常に低いことが必要である。たとえば、MiCriデータを通信するために、約1e-4のブロック誤り率(BLER)が必要である。加えて、そのような通信は、低レイテンシで完了することが必要である。本開示は、上述された高信頼性低レイテンシ(HRLL)ミッションクリティカルデータ通信を達成するためのシステムおよび方法を提案する。
【０００４】
MiCriデータは、ミッションクリティカルユーザ機器により使用されているミッションクリティカルアプリケーションと関連する場合がある。ミッションクリティカルユーザ機器の一例は、人的な入力なしで電子的に運転される、運転手不要車両である。運転手不要車両は、道路上にいるときに、道路上の他の車両、交通パターンなどに関する情報を学ぶためにMiCriデータを頻繁に要求して、運転手不要車両が、その位置を把握し、それに従って反応できることを可能にすることができる。諒解できるように、運転手不要車両は、適切な動作を確実にして事故を回避するために、要求したMiCriデータを高信頼性および低レイテンシで受け取ることができなければならない。ミッションクリティカルユーザ機器の別の例は、エネルギーシステム中の合併ユニット(merger unit)である。合併ユニットは、エネルギーシステム内で発生し得る何らかの異常な状態を予測し、異常な状態を回避することを可能にするためにエネルギーシステムの適切なユニットに指示データを迅速に通信するために、測定される電圧/電流値に関連する高い周波数のデータを集めて評価する役目を果たす。また、諒解できるように、合併ユニットは、異常な状態を回避するために、測定される電圧/電流値に関連する高い周波数のデータおよび指示データなどのMiCriデータを、高信頼性および低レイテンシで通信することができなければならない。諒解できるように、本開示は、任意のMiCriデータ、状況、およびアプリケーションに適用可能である。
【発明の概要】
【課題を解決するための手段】
【０００５】
一態様では、本開示は、ワイヤレス通信のための方法であって、第1のデバイスにおいて、ミッションクリティカル(MiCri)データを要求する第2のデバイスからの要求メッセージを受信するステップと、第1のデバイスからMiCriデータを第2のデバイスに、第1の搬送波成分の送信時間間隔(TTI)の間、または第2の搬送波成分の送信時間間隔(TTI)の間、送信するステップであって、第1の搬送波成分のTTIが第2の搬送波成分のTTIに対して時間的にずらされるステップとを含む方法を提案する。
【０００６】
一態様では、本開示は、ワイヤレス通信のための方法であって、第1のデバイスから基準信号を第2のデバイスに、搬送波成分の第1の送信時間間隔(TTI)の間、送信するステップと、第1のデバイスにおいて、第1のTTI継続時間の間、第2のデバイスが経験した干渉パターンの指示を受信するステップであって、指示が基準信号に基づくステップと、第1のデバイスからMiCriデータを第2のデバイスに、搬送波成分の第1のTTIの間、指示に基づいてハイブリッド自動反復要求(HARQ)ブロックを使用して送信するステップとを含む方法を提案する。
【０００７】
一態様では、本開示は、ワイヤレス通信のための方法であって、第1のデバイスに第2のデバイスから、ミッションクリティカル(MiCri)データを要求する要求メッセージを送信するステップと、第2のデバイスにおいて、MiCriデータを第1のデバイスから、第1の搬送波成分の送信時間間隔(TTI)の間、または第2の搬送波成分の送信時間間隔(TTI)の間、受信するステップであって、第1の搬送波成分のTTIが第2の搬送波成分のTTIに対して時間的にずらされるステップとを含む方法を提案する。
【０００８】
一態様では、本開示は、ワイヤレス通信のための方法であって、第2のデバイスにおいて、第1のデバイスから、搬送波成分の第1の送信時間間隔(TTI)の間、基準信号を受信するステップと、第2のデバイスから、第1のTTI継続時間の間、基準信号に基づいて、第2のデバイスが経験した干渉パターンの指示を送信するステップと、第2のデバイスにおいて、基地局からMiCriデータを、搬送波成分の第1のTTIの間、指示に基づいてハイブリッド自動反復要求(HARQ)ブロックを使用して受信するステップとを含む方法を提案する。
【０００９】
一態様では、本開示は、ミッションクリティカル(MiCri)データを要求する第1のデバイスからの要求メッセージを受信するように構成される受信器と、第1のデバイスにMiCriデータを、第1の搬送波成分の送信時間間隔(TTI)の間、または第2の搬送波成分の送信時間間隔(TTI)の間、送信するように構成される送信器であって、第1の搬送波成分のTTIが第2の搬送波成分のTTIに対して時間的にずらされる送信器とを含む基地局を提案する。
【００１０】
一態様では、本開示は、第1のデバイスに搬送波成分の第1の送信時間間隔(TTI)の間、基準信号を送信するように構成される送信器と、第1のTTI継続時間の間、第1のデバイスが経験した干渉パターンの指示を受信するように構成される受信器であって、指示が基準信号に基づく受信器とを含み、送信器が、第1のデバイスにMiCriデータを、搬送波成分の第1のTTIの間、指示に基づいてハイブリッド自動反復要求(HARQ)ブロックを使用して送信するように構成される、基地局を提案する。
【００１１】
一態様では、本開示は、ミッションクリティカル(MiCri)データを要求する第1のデバイスに要求メッセージを送信するように構成される送信器と、第1のデバイスからのMiCriデータを、第1の搬送波成分の送信時間間隔(TTI)の間、または第2の搬送波成分の送信時間間隔(TTI)の間、受信するように構成される受信器であって、第1の搬送波成分のTTIが第2の搬送波成分のTTIに対して時間的にずらされる受信器とを含むユーザ機器(UE)を提案する。
【００１２】
一態様では、本開示は、ユーザ機器(UE)であって、第1のデバイスから搬送波成分の第1の送信時間間隔(TTI)の間、基準信号を受信するように構成される受信器と、第1のTTI継続時間の間、基準信号に基づいて、UEが経験した干渉パターンの指示を送信するように構成される送信器とを含み、受信器が、第1のデバイスからMiCriデータを、搬送波成分の第1のTTIの間、指示に基づいて単一のハイブリッド自動反復要求(HARQ)ブロックを使用して受信するように構成される、ユーザ機器(UE)を提案する。
【００１３】
一態様では、本開示は、ワイヤレス通信ネットワークであって、ミッションクリティカル(MiCri)データを要求する第1のデバイスからの要求メッセージを受信するための手段と、第1のデバイスにMiCriデータを、第1の搬送波成分の送信時間間隔(TTI)の間、または第2の搬送波成分の送信時間間隔(TTI)の間、送信するための手段であって、第1の搬送波成分のTTIが第2の搬送波成分のTTIに対して時間的にずらされる手段とを含む、ワイヤレス通信ネットワークを提案する。
【００１４】
一態様では、本開示は、ワイヤレス通信ネットワークであって、第1のデバイスに搬送波成分の第1の送信時間間隔(TTI)の間、基準信号を送信するための手段と、第1のTTI継続時間の間、第1のデバイスが経験した干渉パターンの指示を受信するための手段であって、指示が基準信号に基づく手段とを含み、送信するための手段が、第1のデバイスにMiCriデータを、搬送波成分の第1のTTIの間、指示に基づいて単一のハイブリッド自動反復要求(HARQ)ブロックを使用して送信する、ワイヤレス通信ネットワークを提案する。
【００１５】
一態様では、本開示は、ワイヤレス通信ネットワークであって、ミッションクリティカル(MiCri)データを要求する第1のデバイスに要求メッセージを送信するための手段と、基地局からMiCriデータを、第1の搬送波成分の送信時間間隔(TTI)の間、または第2の搬送波成分の送信時間間隔(TTI)の間、受信するための手段であって、第1の搬送波成分のTTIが第2の搬送波成分のTTIに対して時間的にずらされる手段とを含む、ワイヤレス通信ネットワークを提案する。
【００１６】
一態様では、本開示は、ワイヤレス通信ネットワークであって、第1のデバイスから搬送波成分の第1の送信時間間隔(TTI)の間、基準信号を受信するための手段と、基準信号に基づいて第2のデバイスが経験した干渉パターンの指示を送信するための手段とを含み、受信するための手段が、基地局からMiCriデータを、搬送波成分の第1のTTIの間、指示に基づいて単一のハイブリッド自動反復要求(HARQ)ブロックを使用して受信する、ワイヤレス通信ネットワークを提案する。
【００１７】
一態様では、本開示は、その上にプログラムコードが記録されるコンピュータ可読媒体であって、プログラムコードが、ネットワーク中で動作するコンピュータに、ミッションクリティカル(MiCri)データを要求する第1のデバイスからの要求メッセージを受信させるためのコードと、ネットワーク中で動作するコンピュータに、第1のデバイスにMiCriデータを、第1の搬送波成分の送信時間間隔(TTI)の間、または第2の搬送波成分の送信時間間隔(TTI)の間、送信させるためのコードであって、第1の搬送波成分のTTIが第2の搬送波成分のTTIに対して時間的にずらされるコードとを含むコンピュータ可読媒体を提案する。
【００１８】
一態様では、本開示は、その上にプログラムコードが記憶されるコンピュータ可読媒体であって、プログラムコードが、ネットワーク中で動作するコンピュータに、第1のデバイスに搬送波成分の第1の送信時間間隔(TTI)の間、基準信号を送信させるためのコードと、ネットワーク中で動作するコンピュータに、第1のTTI継続時間の間、第1のデバイスが経験した干渉パターンの指示を受信させるためのコードであって、指示が基準信号に基づくコードと、ネットワーク中で動作するコンピュータに、第1のデバイスにMiCriデータを、搬送波成分の第1のTTIの間、搬送波成分の第1のTTIの間に第1のデバイスが経験した干渉パターンを考慮するハイブリッド自動反復要求(HARQ)ブロックを使用して送信させるためのコードとを含むコンピュータ可読媒体を提案する。
【００１９】
一態様では、本開示は、その上にプログラムコードが記憶されるコンピュータ可読媒体であって、プログラムコードが、ネットワーク中で動作するコンピュータに、ミッションクリティカル(MiCri)データを要求する第1のデバイスに要求メッセージを送信させるためのコードと、ネットワーク中で動作するコンピュータに、第1のデバイスからMiCriデータを、第1の搬送波成分の送信時間間隔(TTI)の間、または第2の搬送波成分の送信時間間隔(TTI)の間、受信させるためのコードであって、第1の搬送波成分のTTIが第2の搬送波成分のTTIに対して時間的にずらされるコードとを含むコンピュータ可読媒体を提案する。
【００２０】
一態様では、本開示は、その上にプログラムコードが記録されるコンピュータ可読媒体であって、プログラムコードが、ネットワーク中で動作するコンピュータに、第1のデバイスから搬送波成分の第1の送信時間間隔(TTI)の間、基準信号を受信させるためのコードと、ネットワーク中で動作するコンピュータに、基準信号に基づいてUEが経験した干渉パターンの指示を送信させるためのコードと、ネットワーク中で動作するコンピュータに、第1のデバイスからMiCriデータを、搬送波成分の第1のTTIの間、指示に基づいてハイブリッド自動反復要求(HARQ)ブロックを使用して受信させるためのコードとを含むコンピュータ可読媒体を提案する。
【図面の簡単な説明】
【００２１】
【図１】本開示の態様による通信ネットワーク100を描く図である。
【図２】本開示の態様による通信ネットワークの例示的な構成200を描く図である。
【図３】本開示の態様による通信ネットワークの例示的な構成300を描く図である。
【図４】本開示の態様による方法400を描く図である。
【図５】本開示の態様による通信ネットワークの例示的な構成500を描く図である。
【図６】本開示の態様による方法600を描く図である。
【図７】本開示の様々な態様によるMiCriデータを通信するための例示的なシステム700を描くブロック図である。
【発明を実施するための形態】
【００２２】
添付図面に関連して下に記載する発明を実施するための形態は、様々な構成の記載であることを意図しており、本明細書に記載される概念を実施し得る唯一の構成を表すことは意図していない。発明を実施するための形態は、様々な概念を完全に理解することを可能にするために、具体的な詳細を含む。しかしながら、これらの具体的な詳細なしにこれらの概念が実施される場合があることは当業者には明らかであろう。一部の例において、そのような概念を不明瞭にすることを避ける目的で、良く知られた構造および構成要素はブロック図の形式で示されている。
【００２３】
上で議論したように、ミッションクリティカルアプリケーションは、MiCriデータが高信頼性および低レイテンシで通信されることを必要とする。本出願は、そのような高信頼性低レイテンシ(HRLL) MiCriデータおよび高信頼性中レイテンシ(HRML) MiCriデータの通信を達成するためのシステムおよび方法を提案する。この点について、HRLL MiCriデータは、低誤り率(たとえば、1e-3、1e-4、またはそれより小さいBLER)および非常に短いレイテンシ時間(たとえば、200μs、100μs、またはそれより短いHARQ往復時間(RTT)を有する)を必要とするデータを含み、一方HRML MiCriデータは、同様の低誤り率を必要とするが、わずかに長いレイテンシ時間(たとえば、5ms、3ms、1msまたはそれより短いHARQ RTTを有する)を有するデータを含む。
【００２４】
図1は、本開示の様々な態様による通信ネットワーク100を描く。通信ネットワーク100は、互いに通信する基地局110およびワイヤレス通信デバイス120などの要素を含むことができる。基地局110は、たとえば、LTEの文脈における進化型ノードB(eNodeB)を含むことができる。基地局110は、トランシーバ基地局(base transceiver station)またはアクセスポイントとも呼ぶことができる。ワイヤレス通信デバイス120は、ユーザ機器(UE)と呼ぶことができる。ワイヤレス通信デバイス120は、通信ネットワーク100にわたって分散することができ、固定式またはモバイルであってよい。ワイヤレス通信デバイス120は、端末、移動局、加入者ユニットなどと呼ぶこともできる。ワイヤレス通信デバイス120は、セルラー電話、スマートフォン、携帯情報端末、ワイヤレスモデム、ラップトップコンピュータ、タブレットコンピュータなどであってよい。通信ネットワーク100は、本開示の様々な態様を適用するネットワークの一例である。
【００２５】
本明細書に記載される技法は、CDMA、TDMA、FDMA、OFDMA、SC-FDMAおよび他のネットワークなどの様々なワイヤレス通信ネットワークに使用することができる。「ネットワーク」および「システム」という用語は多くの場合に互換的に使用される。CDMAネットワークは、ユニバーサル地上無線アクセス(UTRA)、cdma2000などの無線アクセス技術を実装することができる。UTRAは、広帯域CDMA (WCDMA(登録商標))および他のCDMAの変形形態を含む。cdma2000は、IS-2000、IS-95およびIS-856規格をカバーする。TDMAネットワークは、Global System for Mobile Communications (GSM(登録商標))などの無線アクセス技術を実装することができる。OFDMAネットワークは、Evolved UTRA (E-UTRA)、ウルトラモバイルブロードバンド(UMB)、IEEE 802.11 (Wi-Fi)、IEEE 802.16 (WiMAX)、IEEE 802.20、Flash-OFDMAなどの無線アクセス技術を実装することができる。UTRAおよびE-UTRAは、ユニバーサル移動通信システム(UMTS)の部分である。3GPPロングタームエボリューション(LTE)およびLTE-Advanced (LTE-A)は、E-UTRAを使用するUMTSの新しい公表である。UTRA、E-UTRA、UMTS、LTE、LTE-AおよびGSM(登録商標)は、「第3世代パートナーシッププロジェクト」(3GPP)という名称の組織からの文書に記載される。CDMA2000およびUMBは、「第3世代パートナーシッププロジェクト2」(3GPP2)という名称の組織からの文書に記載される。本明細書に記載される技法は、上述されたワイヤレスネットワークおよび無線アクセス技術、ならびに次世代(たとえば、第5世代(5G))ネットワークなどの他のワイヤレスネットワークおよび無線アクセス技術に使用することができる。
【００２６】
基地局110とワイヤレス通信デバイス120との間の通信は、1つまたは複数の搬送波成分(CC)を介して実行することができる。各搬送波成分(CC)は、制御データ、ユーザデータ、または両方(一般的に、データと呼ばれる)を搬送することができる。たとえば、基地局110は、1つまたは複数のダウンリンク制御搬送波成分を介して、かつ1つまたは複数のダウンリンクデータ搬送波成分を介して、ワイヤレス通信デバイス120にデータを送信することができる。ワイヤレス通信デバイス120は、1つまたは複数のアップリンク制御搬送波成分を介して、かつ1つまたは複数のアップリンクデータ搬送波成分を介して、基地局110にデータを送信することができる。
【００２７】
図2は、本開示の様々な態様による、制御搬送波成分210およびデータ搬送波成分220の例示的な構成200を図示する。制御搬送波成分210は、アップリンク制御搬送波成分201およびダウンリンク制御搬送波成分202を含む。諒解できるように、アップリンク成分およびダウンリンク成分の各々は、1つまたは複数の搬送波成分(CC)を有することができ、各搬送波成分は、制御、データ、または両方を搬送することを可能にすることができる。
【００２８】
図2に戻って、データ搬送波成分(データCC)220を、公称送信時間間隔(TTI)221、222へと分割することができ、その各々は、本明細書では短時間TTI(thin-TTI)と呼ばれる、より短時間の時間間隔へとさらに分割することができる。データ搬送波成分220と同様に、アップリンク制御搬送波成分(アップリンクCCC)201およびダウンリンク制御搬送波成分(ダウンリンクCCC)202の各々は、図2に示されるように、短時間TTIへと分割することができる。基地局110は、様々なワイヤレス通信デバイス120へと送信されるべきユーザデータをブロックへと分割することができ、これらのデータのブロックを、短時間TTIへとさらに分割される公称TTI221期間に、データ搬送波成分220を介してワイヤレス通信デバイス120に送信することができる。基地局110は、ダウンリンク制御搬送波成分の短時間TTI期間に、それぞれのワイヤレス通信デバイス120に制御データを送信することができる。同様に、それぞれのワイヤレス通信デバイス120は、アップリンク制御搬送波成分の短時間TTI期間に、基地局110に制御データを送信することができる。本開示の様々な態様によれば、公称TTI221は、約200〜400μsの継続時間を有することができ、一方短時間TTIは、約25μsの継続時間を有することができる。たとえば、図2において、公称TTIは、400μsの継続時間を有し、16の短時間TTIへと分割され、各短時間TTIは、25μsの継続時間を有する。しかし、各公称TTIは、任意の数の短時間TTIへと分割することができる。
【００２９】
上で議論したように、ワイヤレス通信デバイス120がミッションクリティカルアプリケーション中に含まれるとき、ワイヤレス通信デバイス120は、高信頼性および低レイテンシでMiCriデータを受信できる必要がある。要求される高信頼性および低レイテンシへの適合を達成するために、基地局110は、データ搬送波成分を介してハイブリッド自動反復要求(HARQ)ブロックを送信することによって、ワイヤレス通信デバイス120にMiCriデータを送信することができる。たとえば、基地局110は、アップリンク制御搬送波成分201を介して、MiCriデータを要求するワイヤレス通信デバイス120からのアップリンク制御搬送波成分201を介した短時間TTI222期間に、要求メッセージ270を受信することができる。要求メッセージ270を受信することに応答して、基地局110は、ダウンリンク制御搬送波成分202を介して、MiCriデータについての要求が承諾されたことをワイヤレス通信デバイス120に示す承諾メッセージ261を送信することができる。承諾メッセージ261は、MiCriデータが送信されることになるダウンリンクリソースの割当てを含むこともできる。さらに、基地局110は、データ搬送波成分220を介して、現在の公称TTI221内の短時間TTI222期間に第1のHARQブロック251を送信することができる。
【００３０】
ワイヤレス通信デバイス120は、送信された第1のHARQブロック251を受信し、巡回冗長検査(CRC)を走らせて、第1のHARQブロックの送信に関連する送信エラーを検出することができる。送信が高信頼性および低レイテンシ要件に適合しているとCRCが検出する場合、ワイヤレス通信デバイス120は、アップリンク制御搬送波成分201を介して、第1のHARQブロックの形で受け取ったMiCriデータを申し分なく受信したことを示す肯定応答メッセージ271を送信することができる。しかし、高信頼性および低レイテンシ要件の違反での送信エラーをCRCが検出する場合、ワイヤレス通信デバイス120は、アップリンク制御搬送波成分201を介して、MiCriデータを不十分に受信したことを示す否定応答メッセージ271を送信することができる。否定応答メッセージ271中に、ワイヤレス通信デバイス120は、現在の公称TTI221期間にワイヤレス通信デバイス120が経験した干渉パターンを示すこともできる。
【００３１】
否定応答メッセージ271を受信すると、基地局110は、MiCriデータの通信を完了するために、第2のHARQブロック252を送信することができる。さらに、基地局110は、現在の公称TTI221期間にワイヤレス通信デバイス120が経験したと示す干渉パターンを考慮に入れることによって、第2のHARQブロック252を送信することができる。第2のHARQブロック252の送信は現在の公称TTI期間に経験した干渉パターンを考慮に入れるので、この送信によって、ワイヤレス通信デバイス120が第2のHARQブロック252を高信頼性および低レイテンシ要件に適合して確実に受信できるはずである。最後に、基地局110は、第2のHARQブロック252の形でMiCriデータを申し分なく受信したことを示す肯定応答メッセージ272を受信することになる。
【００３２】
しかし、第2のHARQブロックが現在の公称TTI221期間にやはり送受信されるとき、これが真である場合がある。これは、隣接する基地局およびワイヤレス通信デバイスによってなされる変化する搬送波成分条件および他の干渉行為に起因して、2つの別個の公称TTI221、222期間にワイヤレス通信デバイス120が経験する干渉パターンが互いに対して異なるためである。すなわち、現在の公称TTI221の間にワイヤレス通信デバイス120が経験する干渉パターンは、次の公称TTI222の間にワイヤレス通信デバイス120が経験する干渉パターンと異なる。したがって、ワイヤレス通信デバイス120がMiCriデータを高信頼性および低レイテンシ要件に適合して確実に受信できるために、第1のHARQブロック251および第2のHARQブロック252の両方が共通の公称TTI期間に送受信されることを基地局110が確実に行わなければならない。
【００３３】
しかし、第1のHARQブロック251および第2のHARQブロック252が共通の公称TTI期間に送受信されることを、基地局110が確実に行うことが可能でない場合がある。たとえば、図2に示されるように、基地局110が一度HARQブロックを送信すると、基地局110は、HARQブロックの送信からたとえば2短時間TTI内に、肯定応答メッセージまたは否定応答メッセージを受信する。その後、基地局110が否定応答メッセージを受信すると、基地局110は、否定応答メッセージの受信からさらにたとえば2短時間TTI内に、第2のHARQブロックを送信することができる。そのため、図でわかるように、第1のHARQブロックおよび第2のHARQブロックの送信に必要な時間期間は、たとえば、5短時間TTIである。諒解できるように、2短時間TTIおよび5短時間TTIという上で予め規定された応答時間期間は例であり、通信ネットワークごとに変わる場合がある。通信ネットワークは、予め規定された閾値時間期間を規定することができ、それに応じて第1のHARQブロック251および第2のHARQブロック252が共通の公称TTI期間に送受信されることを確実に行う。
【００３４】
この時間期間の間に、現在の公称TTIの継続時間が終了する場合があり、基地局110は、次の公称TTIの間に、第2のHARQブロックを送信しなければならない場合がある。下で議論されるように、第2のHARQブロックのそのような送信では、第2のHARQブロックの送信が現在の公称TTIの間にワイヤレス通信デバイス120が経験した干渉パターンを考慮に入れた場合でさえ、MiCriデータの適合した受信を確実に行うことができない。これは、現在の公称TTIの間にワイヤレス通信デバイス120が経験する干渉パターンが、第2のHARQブロックが送受信された次の公称TTIの間にワイヤレス通信デバイス120が経験する干渉パターンと異なるためである。このやり方では、MiCriデータの通信は失敗する場合がある。
【００３５】
たとえば、基地局110は、公称TTI(たとえば、TTI222)の後の部分近くに、ワイヤレス通信デバイス120からの要求メッセージ280を受信する場合がある。この場合、基地局110は、現在の公称TTI222内の第1の利用可能な短時間TTIの間に、承諾メッセージ263および第1のHARQブロック253を送信して、第2のHARQブロックを送信する前に、ワイヤレス通信デバイス120から肯定応答メッセージまたは否定応答メッセージ281を受信するように待つことができる。図2でわかるように、基地局110が肯定応答メッセージ281を受信すると、MiCriデータの送信に関連するさらなるアクションは必要ない。というのは、肯定応答メッセージ281は、第1のHARQブロック253の形でのMiCriデータを申し分なく受信したことを示すためである。しかし、基地局110が否定応答メッセージ281を受信すると、MiCriデータを申し分なく受信したことを確実にするのは困難である。これは、この時間期間の間に、現在の公称TTI222の継続時間が終了したためであり、基地局110は、次の公称TTI223(図示せず)の間に第2のHARQブロック265(図示せず)を送信しなければならないことになる。上で議論したように、第2のHARQブロック265のそのような送信では、第2のHARQブロック265の送信が現在の公称TTI222の間にワイヤレス通信デバイス120が経験した干渉パターンを考慮に入れた場合でさえ、MiCriデータの適合した受信を確実に行うことはできない。これは、現在の公称TTI222の間にワイヤレス通信デバイス120が経験する干渉パターンが、第2のHARQブロック265が送受信されることになる次の公称TTI223の間にワイヤレス通信デバイス120が経験する干渉パターンと異なるためである。このやり方では、MiCriデータの通信は失敗する場合がある。
【００３６】
本開示は、MiCriデータの通信の間の、上に記載した失敗を回避するための方法およびシステムを提案する。様々な態様によれば、本開示は、第1のデータ搬送波成分に加えて第2のデータ搬送波成分を含むことを提案する。さらに、本開示は、第2のデータ搬送波成分の公称TTIを第1のデータ搬送波成分の公称TTIに対して時間的にずらすことを提案する。そのような構成が図3に図示される。
【００３７】
図3は、本開示の様々な態様による通信ネットワーク300の別の例示的な構成を描く。通信ネットワーク300は、互いに通信する基地局110およびワイヤレス通信デバイス120を含む。制御搬送波成分310は、アップリンク制御搬送波成分301およびダウンリンク制御搬送波成分302を含む。ワイヤレス通信デバイス120は、アップリンク制御搬送波成分301の短時間TTIにわたって、基地局110に制御データを送信することができ、基地局110は、ダウンリンク制御搬送波成分302の短時間TTIにわたって、ワイヤレス通信デバイス120に制御データを送信することができる。さらに、基地局110は、MiCriデータを含むユーザデータを、第1のデータ搬送波成分330を介して、かつ/または第2のデータ搬送波成分340を介してワイヤレス通信デバイス120に送信することができる。第1のデータ搬送波成分330および第2のデータ搬送波成分340は、共通の送信(周波数)帯域に含まれてよく、または異なる送信(周波数)帯域の部分であってよい。やはり、アップリンク制御搬送波成分301およびダウンリンク制御搬送波成分302は、共通の送信(周波数)帯域に含まれてよく、または部分的に重複するもしくは完全に別個の送信帯域を含む、異なる送信(周波数)帯域の部分であってよい。第1のデータ搬送波成分330は、公称TTI331、332を含み、第2のデータ搬送波成分340は、公称TTI341、342、343を含む(TTI341、343の部分のみ示される)。図3に示されるように、公称TTI331、332は、公称TTI341、342、343に対して時間的にずらされる。様々な態様では、時間的にずらすことは、公称TTIの時間長の予め規定された分量(たとえば、25%、33%、50%など)によるものであってよい。さらに、様々な態様では、予め規定される量は、異なる通信ネットワークでは異なってよい。
【００３８】
MiCriデータの通信の間の、以前に議論した失敗を回避するための本開示の態様による方法400が、ここで記載されることになる。図4は、本開示の態様による図3に描かれたネットワーク構成300を利用する方法400を図示する。方法は、ステップ402において開始する。
【００３９】
ステップ404において、基地局110は、MiCriデータを要求するワイヤレス通信デバイスからの要求メッセージ370を受信する。基地局110は、要求メッセージを、アップリンク制御搬送波成分301の短時間TTIにわたって受信することができる。
【００４０】
ステップ406において、要求メッセージ370を受信するのに応じて、基地局110は、第1のHARQブロック351を送信するのに、第1のデータ搬送波成分330と第2のデータ搬送波成分340との中からどのデータ搬送波成分を使用するかを決定する。様々な態様では、基地局110は、要求メッセージ371のタイミングに基づいてこの決定を行うことができる。たとえば、図3に示されるように、要求メッセージ371が、現在の公称TTI331の後の部分の間に受信されると、基地局110は、第1のデータ搬送波成分330の現在の公称TTI331の間に、第1のHARQブロック351と第2のHARQブロック352の両方を送信することが可能でない場合があると判定する場合がある。たとえば、図3に示されるように、要求メッセージ371が、現在の公称TTI331中に残っている短時間TTIの予め規定された閾値の数よりも少ない期間に受信されると、基地局110は、現在の公称TTI331の間に、第1のHARQブロック351と第2のHARQブロック352の両方を送信することが可能でない場合があると判定する場合がある。しかし、基地局110は、第2のデータ搬送波成分340の現在の公称TTI342の間に、第1のHARQブロック351および第2のHARQブロック352を送信できると判定する。したがって、基地局は、第2のデータ搬送波成分340の現在の公称TTI342の間に、第1のHARQブロック351が送信されるべきであると判定する。まとめると、基地局110は、第1のデータ搬送波成分330の現在の公称TTI331の間に、第1のHARQブロック351と第2のHARQブロック352の両方を送信できると判定すると、第1のデータ搬送波成分330を介して第1のHARQブロック351が送信されるべきであると判定する。一方、基地局110は、第1のデータ搬送波成分330の現在の公称TTI331の間に、第1のHARQブロック351と第2のHARQブロック352の両方を送信できないと判定すると、第2のデータ搬送波成分340を介して第1のHARQブロック351が送信されるべきであると判定する。このやり方では、さらに下で議論されるように、基地局110は、ワイヤレス通信デバイス120がMiCriデータを高信頼性および低レイテンシ要件に適合して受信できることを確実に行う。
【００４１】
ステップ408において、基地局110は、ダウンリンク制御搬送波成分302の短時間TTIの間に、ワイヤレス通信デバイス120に承諾メッセージ361を送信する。承諾メッセージ361は、MiCriデータについての要求が承諾されたことを示す情報を含むことができる。承諾メッセージ361は、MiCriデータが送信されるべきデータ搬送波成分に関する情報も含むことができる。
【００４２】
ステップ410において、基地局110は、ステップ406で決定されたように、第2のデータ搬送波成分340の現在の公称TTI342の短時間TTIの間に、第1のHARQブロック351を送信することができる。基地局110は、ステップ406で送信された承諾メッセージ361と実質的に同時に、またはステップ406で送信された承諾メッセージ361とともに、第1のHARQブロック351を送信することができる。たとえば、基地局110は、承諾メッセージ361が送信されるダウンリンク制御搬送波成分302の短時間TTIに時間的に対応する、現在の公称TTI342の短時間TTIの間に、第1のHARQブロック351を送信することができる。あるいは、承諾メッセージ361が送信される短時間TTIに時間的に対応しない短時間TTIの間に、第1のHARQブロック351を送信することができる。
【００４３】
ステップ412において、基地局110は、ワイヤレス通信デバイス120から肯定応答メッセージまたは否定応答メッセージ371のいずれかを受信することができる。基地局110は、アップリンク制御搬送波成分301を介して、肯定応答メッセージまたは否定応答メッセージ371を受信することができる。以前に議論したように、基地局110は、現在の公称TTI342の間にワイヤレス通信デバイス120が経験した干渉パターンに関する情報を含む否定応答メッセージ371を受信することができる。この情報は、隣接する基地局およびワイヤレス通信デバイスの通信活動によって経験される搬送波成分条件および/または干渉パターンを含むことができる。
【００４４】
ステップ414において、基地局110は、受信したメッセージが肯定応答メッセージであるかまたは否定応答メッセージであるかを決定することができる。肯定応答メッセージが受信されたことが決定されると方法はステップ414に進み、否定応答メッセージが受信されたことが決定されると方法はステップ416に進む。
【００４５】
ステップ416において、基地局110は、肯定応答メッセージ371が受信されたこと、およびワイヤレス通信デバイス120が第1のHARQブロック351の形でMiCriデータを申し分なく受信したことを判定することができる。すなわち、基地局110は、ワイヤレス通信デバイス120がMiCriデータを高信頼性および低レイテンシ要件に適合して受信したことを判定することができる。この点において、要求されたMiCriデータの通信に関するさらなるアクションは必要なく、方法は、ステップ426で終了する。
【００４６】
一方ステップ418において、基地局110は、否定応答メッセージ371が受信されたこと、およびワイヤレス通信デバイス120が要求されたMiCriデータを申し分なく受信しなかったことを判定することができる。すなわち、基地局110は、ワイヤレス通信デバイス120がMiCriデータを高信頼性および低レイテンシ要件に適合して受信しなかったことを判定することができる。基地局110は、次いで、否定応答メッセージ371を復号して、干渉パターンに関する含まれる情報を受信することができる。
【００４７】
ステップ420において、基地局110は、ダウンリンク制御搬送波成分302の短時間TTIの間に、ワイヤレス通信デバイス120に別の承諾メッセージ362を送信することができる。承諾メッセージ362は、否定応答メッセージ371が受信されたこと、およびそれに応じて、干渉パターンに関する情報を考慮に入れる第2のHARQブロック352を送信するべきであることを示す情報を含むことができる。承諾メッセージ362は、第2のHARQブロック352が送信されるべきデータ搬送波成分に関する情報も含むことができる。
【００４８】
ステップ422において、基地局110は、図3に示されるように、第2のデータ搬送波成分340の現在の公称TTI342の短時間TTIの間に、第2のHARQブロック352を送信することができる。上で議論したように、第2のHARQブロック352の送信は、否定応答メッセージ371で受信した干渉パターンに関する情報を考慮に入れる。基地局110は、ステップ420で送信された承諾メッセージ362と実質的に同時に、第2のHARQブロック352を送信することができる。たとえば、基地局110は、承諾メッセージ362が送信されるダウンリンク制御搬送波成分302の短時間TTIに時間的に対応する、現在の公称TTI342の短時間TTIの間に、第2のHARQブロック352を送信することができる。
【００４９】
ステップ424において、基地局110は、ワイヤレス通信デバイス120が第2のHARQブロック352の形でMiCriデータを申し分なく受信したことを示す、ワイヤレス通信デバイス120からの肯定応答メッセージ372を受信するはずである。基地局110は、アップリンク制御搬送波成分301を介して、肯定応答メッセージ372を受信することができる。方法はステップ416に進む。
【００５０】
ステップ416において、基地局110は、肯定応答メッセージ372が受信されたこと、およびワイヤレス通信デバイス120が第2のHARQブロック352の形でMiCriデータを申し分なく受信したことを判定する。すなわち、基地局110は、ワイヤレス通信デバイス120がMiCriデータを高信頼性および低レイテンシ要件に適合して受信したことを判定する。この点において、要求されたMiCriデータの通信に関するさらなるアクションは必要なく、方法は、ステップ426で終了する。
【００５１】
諒解できるように、基地局110は、代替の第1のデータ搬送波成分330として、第1のデータ搬送波成分の公称TTI331、332に対して時間的にずらされる公称TTI341、342、343を有する第2のデータ搬送波成分340を提供することに起因して、受信した要求メッセージに応じて迅速にMiCriデータを送信することを可能とすることができる。すなわち、第2のデータ搬送波成分340の追加によって、基地局110に、適切な公称TTIの間にMiCriデータの送信を迅速にスケジューリングするフレキシビリティがもたらされ、MiCriデータの申し分ない通信を可能にする。このやり方では、任意のスケジューリングが遅延する一方、MiCriデータを通信することが減少する可能性があり、MiCriデータを、高信頼性および低レイテンシ要件に適合して通信することができる。
【００５２】
本開示の様々な態様によれば、MiCriデータをこれらの短時間TTIの間に送信される非MiCriデータ上に重畳することによって、HARQブロック351、352を、公称TTI342のこれらの短時間TTIの間に送信することができる。すなわち、これらの短時間TTIの間に利用可能な帯域に基づいて、MiCriデータおよび非MiCriデータを、優先順位をMiCriデータの送信に与えて、共通の短時間TTIの間に送信することができる。さらに、本開示の様々な態様によれば、HARQブロックを送信するために代わりに使用される短時間TTIの間に、第2のデータ搬送波成分を介して送信されるように以前にスケジューリングされた任意の非MiCriデータを、第1のデータ搬送波成分の(時間的に)対応する短時間TTIの間に、送信されるようにスケジューリングすることができる。加えて、本開示の様々な態様によれば、第1のデータ搬送波成分の次の公称TTIの間に送信されるようにスケジューリングされる任意の非MiCriデータを、第2のデータ搬送波成分の現在の公称TTIの間に迅速に送信するようにスケジューリングすることができる。たとえば、非MiCriデータについての要求が、第1のデータ搬送波成分の現在の公称TTIの前の部分の間に受信されるとき、基地局110は、要求される非MiCriデータが送信の優先順位を与えられていないので、第1のデータ搬送波成分の次の公称TTIまで要求される非MiCriデータを送信するのを待たなければならない可能性がある。しかし、この非MiCriデータを、第2のデータ搬送波成分の現在の公称TTIの間に送信することができる。諒解できるように、第2のデータ搬送波成分の現在の公称TTIの間に非MiCriデータを迅速にスケジューリングすることによって、第1のデータ搬送波成分の次の公称TTIまで非MiCriデータの送信が遅延するのを回避する。
【００５３】
本開示の様々な態様によれば、基地局は、高信頼性および低レイテンシ要件に適合したMiCriデータの通信を可能にするため、ワイヤレス通信デバイスが経験した干渉パターンを予め報告することを含む手法を使用することができる。この手法では、基地局は、基準信号を送信して、現在の公称TTI中に残っている短時間TTIの予め規定された閾値数よりも少ない期間に受信される要求メッセージに対応する前に、様々なワイヤレス通信デバイスにより観察された干渉パターンに関する情報を受信することができる。この手法は、単一のデータ搬送波成分を使用することが可能であり、単一のHARQブロックの送信を介してMiCriデータを申し分なく送信することが可能であるという利点を提供する。さらに、基地局は、現在の公称TTIの間の要求メッセージの受信タイミングにかかわらず、ワイヤレス通信デバイスにMiCriデータを申し分なく送信することが可能である。
【００５４】
図5は、本開示の様々な態様による通信ネットワーク500の例示的な構成を描く。図5に示されるように、通信ネットワーク500は、互いに通信する基地局110およびワイヤレス通信デバイス120を含む。たとえば、ワイヤレス通信デバイス120は、アップリンク制御搬送波成分501の短時間TTIにわたって、基地局110に制御データを送信することができ、基地局110は、ダウンリンク制御搬送波成分502の短時間TTIにわたって、ワイヤレス通信デバイス120に制御データを送信することができる。さらに、基地局110は、MiCriデータを含むユーザデータを、データ搬送波成分530を介してワイヤレス通信デバイス120に送信することができる。データ搬送波成分530は、公称TTI531、532を含む。
【００５５】
干渉パターンを予め報告することを含む手法による、本開示の態様による方法を、ここで記載することとする。図6は、本開示の態様による図5のネットワーク構成500を利用する方法600を図示する。方法は、ステップ602において開始する。
【００５６】
ステップ604において、現在の公称TTI531の短時間TTIの間に、基地局110は、ミッションクリティカルアプリケーションに含まれ得るワイヤレス通信デバイス120に基準信号551を送信することができる。あるいは、基地局110は、基地局110と通信する全てのワイヤレス通信デバイスに基準信号551を送信することができる。基準信号551は、様々なワイヤレス通信デバイス120が現在の公称TTI531の継続時間の間に経験したそれぞれの干渉パターンをワイヤレス通信デバイス120が計算することを可能にする情報を含むことができる。たとえば、基準信号551は、ヌルトーン、パイロットデータ、および/またはテスト信号を含むことができる。基地局110は、現在の公称TTI531の開始時点、または開始付近に基準信号551を送信することができる。本開示の態様によれば、基地局110は、現在の公称TTI531の第1の短時間TTIの間に、基準信号551を送信することができる。
【００５７】
ステップ606において、基地局110は、現在の公称TTI531の間に様々なワイヤレス通信デバイス120が経験したそれぞれの干渉パターン520に関する計算された情報を受信するステップを開始する。この計算された情報は、事前干渉報告の形で受信することができ、隣接する基地局およびワイヤレス通信デバイスの通信活動によって経験される搬送波成分条件ならびに/または干渉パターンを含むことができる。事前干渉報告は、図3および図4に関して上で議論した干渉パターンに関する情報と同様の情報を含むことができる。基地局110は、事前干渉報告を、アップリンク制御搬送波成分501の短時間TTIの間に受信することができる。たとえば、基地局110は、ワイヤレス通信デバイス120の各々からのそれぞれの事前干渉報告を、アップリンク制御搬送波成分501のそれぞれの短時間TTIの間に受信することができる。その点について、1つまたは複数のワイヤレス通信デバイス120を、タイミングの目的で、それぞれの短時間TTIに割り当てることができる。基地局110は、ローカルメモリ中に、全ての受信した事前干渉報告を記憶することができる。
【００５８】
ステップ608において、基地局110は、MiCriデータを要求するワイヤレス通信デバイス120からの要求メッセージ570を受信する。基地局110は、要求メッセージを、アップリンク制御搬送波成分501の短時間TTIを介して受信することができる。
【００５９】
ステップ610において、要求メッセージ570を受信することに応じて、基地局110は、ローカルメモリから、要求メッセージ570を送信したワイヤレス通信デバイス120に関連する事前干渉報告を取り出すことができる。基地局110は、次いで、取り出した事前干渉報告を復号して、現在の公称TTI531の間に、MiCriを要求するワイヤレス通信デバイス120が経験した干渉パターンに関する含まれている計算された情報を受信することができる。
【００６０】
ステップ612において、基地局110は、ダウンリンク制御搬送波成分502の短時間TTIの間に、ワイヤレス通信デバイス120に承諾メッセージ561を送信する。承諾メッセージ561は、MiCriデータについての要求が承諾されたことをワイヤレス通信デバイス120に示す情報を含むことができる。承諾メッセージ561は、MiCriデータが送信されるべきデータ搬送波成分530に関する情報も含むことができる。
【００６１】
ステップ614において、基地局110は、現在の公称TTI531の次の短時間TTIの間に、単一のHARQブロック551の形で要求されたMiCriデータを送信することができる。基地局110は、ステップ612で送信された承諾メッセージ561と実質的に同時に、またはステップ612で送信された承諾メッセージ561とともに、第1のHARQブロック551を送信することができる。たとえば、基地局110は、承諾メッセージ561が送信されるダウンリンク制御搬送波成分502の短時間TTIに時間的に対応する、現在の公称TTI531の短時間TTIの間に、第1のHARQブロック551を送信することができる。あるいは、承諾メッセージ361が送信される短時間TTIに時間的に対応しない短時間TTIの間に、第1のHARQブロック351を送信することができる。単一のHARQブロック551の送信は、ステップ610で事前干渉報告から取り出された干渉パターンに関する情報を考慮に入れる。このやり方では、基地局110は、MiCriデータの申し分ない送信を確実に行う。というのは、単一のHARQブロック551の送信が現在の公称TTI531の間にワイヤレス通信デバイス120が経験した干渉パターンを既に考慮に入れてあるからである。
【００６２】
ステップ616において、基地局110は、ワイヤレス通信デバイス120が単一のHARQブロック551の形でMiCriデータを申し分なく受信したことを示す、ワイヤレス通信デバイス120からの肯定応答メッセージ571を受信するはずである。基地局110は、アップリンク制御搬送波成分501を介して、この肯定応答メッセージ571を受信することができる。
【００６３】
ステップ618において、基地局110は、肯定応答メッセージ571が受信されたこと、およびワイヤレス通信デバイス120が単一のHARQブロック551の形でMiCriデータを申し分なく受信したことを判定する。すなわち、基地局110は、ワイヤレス通信デバイス120がMiCriデータを高信頼性および低レイテンシ要件に適合して受信したことを判定する。この点において、要求されたMiCriデータの通信に関するさらなるアクションは必要なく、方法は、ステップ620で終了する。
【００６４】
諒解できるように、事前干渉報告を受信する手法に起因して、基地局110は、受信した要求メッセージに応じて迅速にMiCriデータを送信することを可能とすることができる。このことが、MiCriデータの通信におけるスケジューリング遅延を減少させ、MiCriデータが高信頼性および低レイテンシ要件に適合して通信されることも確実にする。この手法は、単一のデータ搬送波成分を使用することが可能であり、単一のHARQブロックの送信を介してMiCriデータを申し分なく送信することが可能であるという利点をやはり提供する。最後に、基地局は、現在の公称TTIの間の要求メッセージの受信タイミングにかかわらず、ワイヤレス通信デバイスにMiCriデータを申し分なく送信することが可能である。
【００６５】
本開示の様々な態様によれば、MiCriデータを短時間TTIの間に送信される非MiCriデータ上に重畳することによって、単一のHARQブロック551を、公称TTI531のこの短時間TTIの間に送信することができる。すなわち、短時間TTIの間に利用可能な帯域に基づいて、MiCriデータおよび非MiCriデータを、優先順位をMiCriデータの送信に与えて、短時間TTIの間に送信することができる。たとえば、基地局110は、短時間TTIの間に利用可能な帯域幅を完全に利用することによって、単一のHARQブロック551を送信することができる。あるいは、基地局110は、短時間TTIの間に利用可能な帯域幅の一部を利用することによって、単一のHARQブロック551を送信することができる。本開示の様々な態様によれば、公称TTI531の短時間TTIの間に送信されるように以前にスケジューリングされ、今度は単一のHARQブロック551を送信するために使用される非MiCriデータを、現在の公称TTI531の次の利用可能な短時間TTIの間に送信されるようにスケジューリングすることができる。
【００６６】
基地局110は、図5に示されるように、次の公称TTI532に事前干渉報告手法を適用し続けることができる。この場合、上に議論したように、基地局110は、要求メッセージ572を受信することができ、承諾メッセージ562および第1のHARQブロック553を送信することができ、肯定応答メッセージ573を受信することができる。あるいは、基地局110が要求メッセージを次の公称TTI532の前の部分の間に受信すると予想されるとき、基地局110は、図2に関して上で議論した手法を適用することができる。
【００６７】
図7は、本開示の様々な態様によるMiCriデータを通信するための例示的なシステム700のブロック図を描く。図7に示されるように、システム700は、基地局710およびワイヤレス通信デバイス740を含む。基地局710とワイヤレス通信デバイス740とは、1つまたは複数のプロトコル(たとえば、第3世代(3G)プロトコル、802.11プロトコル、802.15プロトコル、ロングタームエボリューション(LTE)プロトコル、第5世代(5G)プロトコルなど)によるワイヤレス接続を介して通信可能に結合することができる。描かれる基地局710は、以前に議論した基地局110a、110b、110cであってよく、描かれるワイヤレス通信デバイス(WCD)は、以前に議論したワイヤレス通信デバイス120であってよい。
【００６８】
ワイヤレス通信デバイス740は、モバイル通信デバイス(たとえば、スマートフォン、セルラー電話、携帯情報端末など)、タブレットコンピューティングデバイス、ラップトップコンピューティングデバイス、車両、ゲーム用コンソール、機械、個人用コンピューティングデバイス、電子リーダーデバイス、センサデバイス、別の電子デバイス、またはワイヤレス通信デバイス740に関して本明細書に記載された動作を実施するように動作可能であるこれらのデバイスの組合せであってよい。ワイヤレス通信デバイス740は、プロセッサ742、メモリ744、モデムサブシステム752、無線周波数(RF)ユニット754、およびアンテナ要素756を含むことができる。RFユニット754は、アンテナ要素756を介して受信した送信(たとえば、基地局710とワイヤレス通信デバイス740との間の送信)を処理する(たとえば、アナログ-デジタル変換、電力増幅などを実施する)ように構成することができ、モデムサブシステム752は、送信を復調および/または復号するように構成することができる。加えて、モデムサブシステム752、RFユニット754、およびアンテナ要素756は、ワイヤレス通信デバイス740から生じる送信(たとえば、アップリンク送信)のために使用することもできる。プロセッサ742としては、中央処理装置(CPU)、デジタル信号プロセッサ(DSP)、特定用途向け集積回路(ASIC)、コントローラ、フィールドプログラマブルゲートアレイ(FPGA)デバイス、別のハードウェアデバイス、ファームウェアデバイス、または図7に関連するワイヤレス通信デバイス740に関し本明細書に記載される動作を実施するように構成されるそれらの任意の組合せが挙げられる。
【００６９】
メモリ744としては、キャッシュメモリ(たとえば、プロセッサ742のキャッシュメモリ)、ランダムアクセスメモリ(RAM)、磁気抵抗RAM(MRAM)、読取り専用メモリ(ROM)、プログラマブル読取り専用メモリ(PROM)、消去可能プログラマブル読取り専用メモリ(EPROM)、電気消去可能プログラマブル読取り専用メモリ(EEPROM)、フラッシュメモリ、固体メモリデバイス、ハードディスクドライブ、他の形態の揮発性および不揮発性メモリ、または異なるタイプのメモリの組合せが挙げられる。メモリ744は、命令746およびデータベース748を記憶することができる。データベース748は、MiCriデータ情報750を含むことができる。MiCriデータ情報750は、下のMiCriデータ情報720に関連して記載される情報のタイプのうちの全部または一部を含むことができる。しかし、MiCriデータ情報750は、ワイヤレス通信デバイス740に特有であってよいが、MiCriデータ情報720は、モバイルデバイスの複数の異なるタイプおよび/または構成に関連してよい。命令746は、プロセッサ742が実施したときに、プロセッサ742に、図1〜図7に関連するワイヤレス通信デバイス740を参照して本明細書に記載された動作を実施させる命令を含むことができる。
【００７０】
基地局710は、進化型ノードB(eNodeB)(たとえば、図1のeNodeB110のうちの1つ)、マクロセル(たとえば、図1のマクロセル102a、102b、102cのうちの1つ)、ピコセル、フェムトセル、中継局、アクセスポイント、または基地局710に関して本明細書に記載された動作を実施するように動作可能である別の電子デバイスであってよい。基地局710は、第3世代(3G)ワイヤレス通信規格、第4世代(4G)ワイヤレス通信規格、ロングタームエボリューション(LTE)ワイヤレス通信規格、LTE-Advancedワイヤレス通信規格、または(たとえば、5Gプロトコルに従って動作する次世代ネットワークといった)現在知られているもしくは後に開発される別のワイヤレス通信規格などの、1つまたは複数の通信規格に従って動作することができる。
【００７１】
図7に示されるように、基地局710は、プロセッサ712、メモリ714、スケジューラ722、モデムサブシステム724、無線周波数(RF)ユニット726、およびアンテナ要素728を含む。プロセッサ712としては、CPU、DSP、ASIC、コントローラ、FPGAデバイス、別のハードウェアデバイス、ファームウェアデバイス、または図1〜図7に関連する基地局710に関し本明細書に記載される動作を実施するように構成されるそれらの任意の組合せが挙げられる。RFユニット726は、アンテナ要素728を介して送信できる基地局710から生じる送信(たとえば、基地局710とワイヤレス通信デバイス740との間の送信)を処理する(たとえば、デジタル-アナログ変換、電力増幅などを実施する)ように構成することができ、モデムサブシステム724は、下でより詳細に記載されるように、変調およびコーディング方式(MCS)に従って、送信を変調および/または符号化するように構成することができる。加えて、モデムサブシステム724、RFユニット726、およびアンテナ要素728は、ワイヤレス通信デバイス740から生じる送信(たとえば、アップリンク送信)を受信するために使用することもできる。
【００７２】
メモリ714は、キャッシュメモリ(たとえば、プロセッサ412のキャッシュメモリ)、RAM、MRAM、ROM、PROM、EPROM、EEPROM、フラッシュメモリ、固体メモリデバイス、1つもしくは複数のハードディスクドライブ、他の形態の揮発性および不揮発性メモリ、または異なるタイプのメモリの組合せを含むことができる。メモリ714は、命令716を記憶することができる。命令716は、プロセッサ712が実施したときに、プロセッサ712に、本開示の図1〜図7に関連して記載された動作を実施させる命令を含むことができる。
【００７３】
メモリ714は、データベース718を記憶することができる。一態様では、データベース718を、基地局710の外部に記憶することができる。たとえば、基地局710が動作しているワイヤレス通信システムのバックホールネットワークなどのネットワークを介して、基地局710がアクセス可能なメモリデバイスにデータベース718を記憶することができる。別の例として、基地局710は、(たとえば、それぞれマクロセル102bまたはマクロセル102cといった)マクロセルによって提供されるカバレッジエリア内で動作するピコセルまたはフェムトセルであってよく、データベース718を、マクロセルのメモリに記憶することができる。この例では、データベース718は、基地局710とマクロセルとの間の接続(たとえば、ワイヤード接続またはワイヤレス接続)を介してアクセス可能であり得る。
【００７４】
メモリ714に記憶されようと、基地局710がアクセス可能な別の位置に記憶されようと、データベース718は、MiCriデータ情報720を記憶することができる。MiCriデータ情報720は、ワイヤレス通信デバイス740および/または他のモバイルデバイスに関連する情報を含むことができる。MiCriデータ情報720は、基地局710とワイヤレス通信デバイス740との間の送信を構成するために使用することができる1つまたは複数のパラメータに関連する情報を含むことができる。1つまたは複数のパラメータは、ワイヤレス通信デバイス740によって通信されるMiCriデータの量に影響を及ぼす少なくとも1つのパラメータを含むことができる。MiCriデータ情報720は、各々異なるワイヤレス通信デバイス740について、それぞれ(たとえば、ワイヤレス通信デバイス740のSKUごとに)構築することができる。説明すると、ワイヤレス通信デバイス740は、(たとえば、低密度パリティ検査(LDPC)コーディング方式、ターボコーディング方式、畳み込みコーディング方式などといった)1つもしくは複数の変調およびコーディング方式(MCS)、(たとえば、単一層伝送、多層伝送、単一ユーザ複数入力複数出力(SU-MIMO)、マルチユーザ複数入力複数出力(MU-MIMO)、送信ダイバーシティ、ビーム形成などといった)1つもしくは複数の送信モード、1つもしくは複数のキャリアアグリゲーション(CA)方式、(たとえば、時分割複信(TDD)および/または周波数分割複信(FDD)といった)1つもしくは複数のデュプレックスモード、1つもしくは複数のUEカテゴリ、(たとえば、拡張セル間干渉調整(eICIC)、ネットワークアシスト干渉消去(NAIC)などといった)1つもしくは複数の干渉管理技法、1つもしくは複数のフレーム構造、ワイヤレス通信デバイス740の他の機能、またはそれらの組合せを使用する送信の復号化をサポートすることができる。ワイヤレス通信デバイス740のこれらの機能の各々を基地局710が使用して、基地局710とワイヤレス通信デバイス740との間の送信を構成することができ、送信を処理するためにワイヤレス通信デバイス740が消費するエネルギーは、基地局710とワイヤレス通信デバイス740との間の送信を構成するために基地局710が選択したパラメータに基づいて異なる場合がある。
【００７５】
一態様では、スケジューラ722が、基地局710とワイヤレス通信デバイス740との間の送信の少なくとも一部を構成することができる。たとえば、スケジューラ722は、送信のためのデータバッファで利用可能なデータの量に基づいて、基地局710とワイヤレス通信デバイス740との間の送信を構成することができる。スケジューラ722は、シンボル周期、サブフレーム単位、またはフレーム単位ごとに、基地局710とワイヤレス通信デバイス740との間の送信を構成することができる。たとえば、スケジューラ722は、いくつかのリソースブロックを使用して送信をスケジューリングすることができる。送信のためにスケジューリングされるリソースブロックの数は、識別されたエネルギーメトリックに少なくとも部分的に基づいて決定され得る。基地局710とワイヤレス通信デバイス740との間の送信を構成することは、基地局710とワイヤレス通信デバイス740との間の送信に使用されるべきトランスポートブロックサイズを決定することを含むことができる。トランスポートブロックサイズは、エネルギーメトリックに少なくとも部分的に基づいて決定され得る。一態様では、スケジューラ722は、トランスポートブロックサイズに少なくとも部分的に基づいて送信をスケジューリングすることができる。
【００７６】
当業者がこれまでに諒解しているように、また、目下の具体的な用途に依存して、本開示の趣旨および範囲から逸脱することなく、本開示の材料、装置、構成およびデバイスの使用方法に、多くの変更、代替および変形を行うことができる。これに照らして、本明細書において図示および説明されている特定の実施形態はそのいくつかの例としてのものにすぎないため、本開示の範囲はそれらの特定の実施形態の範囲に限定されるべきではなく、むしろ、下記に添付されている特許請求項およびそれらの機能的な均等物の範囲と完全に同等であるべきである。
【符号の説明】
【００７７】
100  通信ネットワーク
102a  マクロセル
102b  マクロセル
102c  マクロセル
110  基地局、eNodeB
110a  基地局
110b  基地局
110c  基地局
120  ワイヤレス通信デバイス
200  構成
201  アップリンク制御搬送波成分、アップリンクCCC
202  ダウンリンク制御搬送波成分、ダウンリンクCCC
210  制御搬送波成分
220  データ搬送波成分、データCC
221  公称送信時間間隔、公称TTI
222  公称送信時間間隔、公称TTI
223  公称TTI
251  第1のHARQブロック
252  第2のHARQブロック
253  第1のHARQブロック
261  承諾メッセージ
263  承諾メッセージ
265  第2のHARQブロック
270  要求メッセージ
271  肯定応答メッセージ、否定応答メッセージ
272  肯定応答メッセージ
280  要求メッセージ
281  肯定応答メッセージ、否定応答メッセージ
300  ネットワーク構成、通信ネットワーク
301  アップリンク制御搬送波成分
302  ダウンリンク制御搬送波成分
310  制御搬送波成分
330  第1のデータ搬送波成分
331  公称TTI
332  公称TTI
340  第2のデータ搬送波成分
341  公称TTI
342  公称TTI
343  公称TTI
351  第1のHARQブロック
352  第2のHARQブロック
361  承諾メッセージ
362  承諾メッセージ
370  要求メッセージ
371  肯定応答メッセージ、否定応答メッセージ、要求メッセージ
372  肯定応答メッセージ
400  方法
412  プロセッサ
500  ネットワーク構成、通信ネットワーク
501  アップリンク制御搬送波成分
502  ダウンリンク制御搬送波成分
520  干渉パターン
530  データ搬送波成分
531  公称TTI
532  公称TTI
551  基準信号、第1のHARQブロック
553  第1のHARQブロック
561  承諾メッセージ
562  承諾メッセージ
570  要求メッセージ
571  肯定応答メッセージ
572  要求メッセージ
573  肯定応答メッセージ
600  方法
700  システム
710  基地局
712  プロセッサ
714  メモリ
716  命令
718  データベース
720  MiCriデータ情報
722  スケジューラ
724  モデムサブシステム
726  無線周波数(RF)ユニット
728  アンテナ要素
740  ワイヤレス通信デバイス、WCD
742  プロセッサ
744  メモリ
746  命令
748  データベース
750  MiCriデータ情報
752  モデムサブシステム
754  無線周波数(RF)ユニット
756  アンテナ要素
【図１】
2019047513.tif 000003
【図２】
2019047513.tif 000004
【図３】
2019047513.tif 000005
【図４】
2019047513.tif 000006
【図５】
2019047513.tif 000007
【図６】
2019047513.tif 000008
【図７】
2019047513.tif 000009
【外国語明細書】
2019047513000001.pdf